Podtech/llm-jp-corpus-v4-ja_patent huggingface dataset:
(57)【要約】【課題】本考案はギター以外の音を外部から入力する事もできるが、ピックを持つ手に音源を持たなければならない不便さを、スイッチを押すだけで、ピックアップに入力する為のものである。【解決手段】本考案はピックアップ裏側の磁界の強い場所にモーターやスピーカーを鉛で包む事により設置する事ができる。音ＩＣ搭載回路では作ることが難しい３パターン（音の立ち上がり、音の継続、音のフェードアウト）をモーターの音で作っている。又モーターコントローラーを使う事により、曲の音程に合わせた音を作る事ができる。【選択図】  図１
0003112280.tif 000002
【実用新案登録請求の範囲】
【請求項１】
エレキギターのピックアップ裏側にモーターを入れ音源にする。別の部分にモーターコントローラーを内蔵し、モーターの回転数を変化させ音程を調節できるようにする。モーターをピックアップの磁界の影響を受けない様、モーター自体を鉛で包み、磁界からシールドするか、又は鉄のパイプにエナメル線を巻き付け、エナメル線の両端を結線。そのパイプの中にモーターを入れ磁界からシールドする。
【請求項２】
エレキギターのピックアップ裏側に小型スピーカーを入れ音ＩＣ搭載回路を別の部分に内蔵する。小型スピーカーをピックアップの磁界の影響を受けない様、小型スピーカーを鉛で包み、磁界からシールドするか、又は鉄のパイプにエナメル線を巻き付け、エナメル線の両端を結線。そのパイプの中にモーターを入れ磁界からシールドする。
【考案の詳細な説明】
【技術分野】
【０００１】
本考案は、エレキギターにモーターを内蔵し、モーターコントローラーで回転速度を変化させ、曲間に適当な音程のモーター回転音をピックアップに入力させる物。
又は音ＩＣ搭載回路を埋め込み音ＩＣの音をピックアップに入力させる物。
【背景技術】
【０００２】
ギター外部からでも音をピックアップに拾わせる事は可能だが、その都度音源になる物を持たなければならなかった。
【考案の開示】
【考案が解決しようとする課題】
【０００３】
ピックアップ裏側に内蔵することにより、ギターボディーに付けたスイッチの操作でピックアップに音を入力する事が可能で、前述の欠点を解決しようとするものである。
【課題を解決するための手段】
【０００４】
本考案は、ピックアップ裏側に音源を置く為、ピックアップの磁界の影響を受ける。
この磁界の影響を防ぐ為に、モーターやスピーカー等を鉛で包む、又は鉄のパイプにエナメル線を巻き付け、エナメル線の両端を結線しパイプ内部に入れる事により磁界からシールドする事ができ磁界の問題を解決している。
【考案の効果】
【０００５】
ライブの時など簡単にギターの弦以外の音を出す事ができギターに新しい音を出させ、曲にインパクトを与える事ができる。特にモーターの回転音を拾わせる場合、モーターコントローラーを入れてある為、回転速度を変化させ、曲のインパクトを与えたい部分に合わせた音程を出す事ができる。
【考案を実施するための最良の形態】
【０００６】
ピックアップにかなり近い部分に内蔵する為、モーターの金属音やスピーカーの高音が目立ち過ぎる為、モーターやスピーカー等を、スポンジで包んだ後、シールドし、各音源とピックアップの間にもスポンジを入れる事によって、耳障りな高音域が低減する。又、複数あるピックアップ裏側にモーターを入れ回転数をずらすことにより、ハモリの音を作る事ができる。
【実施例】
【０００７】
以下、添付図面に従って一実施例を説明する。１はモーター又はスピーカーをスポンジで包み、その上から鉛で包んだ物。２はモーターコントローラー又は音ＩＣ搭載回路。３は乾電池。４はピックアップ。５はギター本体。６モーターコントローラー用又は音ＩＣ搭載回路に使用するボリューム。７はサウンドＯＮ用押しボタンスイッチ。８ピックアップのコードが通っている穴。４の裏側に１が入る溝を掘り埋め込み、その上にスポンジをかぶせ、４をセットする。１から出ているコードは８に通し、ボリューム等が取り付けられている部分まで配線する。ボリューム等が取り付けられている部分にスペース的、余裕がある場合はそこには、２、３、６、７をそこへセットする。スペースが無い場合は別の場所に埋め込めるだけの溝を掘り、その中へ２、３、６、７をセットし配線する。
【図面の簡単な説明】
【０００８】
【図１】ピックアップ裏側のボディー形状の図
【図２】モーターコントローラー又は音ＩＣ搭載回路及びバッテリー、スイッチ、ボリューム収納図
【符号の説明】
【０００９】
１  モーター又はスピーカーをスポンジで包み、その上から鉛で包んだ物。
２  モーターコントローラー又は音ＩＣ搭載回路。
３  乾電池。
４  ピックアップ。
５  ギター本体。
６  モーターコントローラー用又は音ＩＣ搭載回路に使用するボリューム。
７  サウンドＯＮ用押しボタンスイッチ。
８  ピックアップのコードが通っている穴。
【図１】
0003112280.tif 000003
【図２】
0003112280.tif 000004
【手続補正書】
【提出日】平成17年5月20日(2005.5.20)
【手続補正１】
【補正対象書類名】実用新案登録請求の範囲
【補正対象項目名】全文
【補正方法】変更
【補正の内容】
【実用新案登録請求の範囲】
【請求項１】
エレキギターのピックアップ裏側にモーターを入れ音源にするにおいて
（１）エレキギター本体裏側にモーターコントローラーを内蔵し、ピックアップ裏側に入れたモーターと接続しモーターの回転数を変化させ音程を調節できるようにする。
（２）モーターをピックアップの磁界の影響を受けない様、モーター自体を鉛で包み、磁界からシールドするか、又は鉄のパイプにエナメル線を巻き付け、エナメル線の両端を結線し、パイプの中にモーターを入れ磁界からシールドする。
以上の構成からなるエレキギターの音源装置。
【請求項２】
エレキギターのピックアップ裏側に小型スピーカーを入れ音源にするにおいて
（１）エレキギター本体裏側に音ＩＣ搭載回路を内蔵しピックアップ裏側に内蔵した小型スピーカーと接続する。
（２）小型スピーカーをピックアップの磁界の影響を受けない様、小型スピーカーを鉛で包み、磁界からシールドするか、又は鉄のパイプにエナメル線を巻き付け、エナメル線の両端を結線しパイプの中にスピーカーを入れ磁界からシールドする。
以上の構成からなるエレキギターの音源装置。
(57)【要約】【課題】      本考案は日常生活上身体危険からの回避、健康で衛生的、生活環境等に役立てる事とする。身体と小脳の運動機能の低下を活性化発達促進させる小脳とバランスを鍛える健康履物具を提供するものである。【解決手段】  本考案は履物底板面（７）の中心部に主軸丸木足（８）を設け前部分に補助足（９）を設け履物表面（１）に足スベリ止めの突っ掛緒（４）を設け、全足指を挟み込み挿入させる。突起棒（５）及びスライド調節板を設け、足首が前後にスイング運動できるように形成されていることを特徴とする。【選択図】    図１
0003112274.tif 000002
【実用新案登録請求の範囲】
【請求項１】
本体は木製及び硬質樹脂系の材質で原型は下駄類を有し、本体履物底板部（７）の中心部に主軸丸木足（８）を設け、同じく履物底板部の前部分に補助足丸木（９）を設け丸木足は半月丸型形成を有し前後足首を屈折スイング運動する履物具。
【請求項２】
本体履物の表面（１）は下駄類型に類し身体の足元がズレ落ちない為の突っ掛緒（４）を設け、足指も全指突起棒（５）を挟み込み挿入し、突起棒（５）は足指の異なりに対応出来るスライド左右調節板（６）を設けた履物具。
【考案の詳細な説明】
【考案の詳細な説明】
【技術分野】
【０００１】本考案は運動機能を司る小脳を刺激し活性化させ、身体バランス感覚や平衡感覚を発達させ足全体から身体一連の強化トレーニング及び足首の筋力ダイエットの効果をもたらす事に関するものである。
【背景技術】
【０００２】従来の健康履物具等につま先よりかかと部が低くなって傾斜を設けた物や健康ツボ具を施したもの等履物表面、裏面にデコボコ及び高低の変化を特徴とするものがあった。履物底部に急斜面を設けたものや、履物のカカト部を取り除いたもの等あった。
【考案が解決しようとする課題】
【０００３】従来の健康履物具は足首が前後自由にスイング出来る物としては乏しく本考案は小脳活性化の効果を促す事と、バランス平衡感覚向上及び足全体から身体のバランス機能向上効果をもたらす事で欠点を解決しようとするものである。
【課題を解決するための手段】
【０００４】本考案は木製及び樹脂系からなり、この履物本体の上に乗り足首を前後にバランスを取りスイング運動したり、歩行ストレッチするものであり本体底板部（７）部分中心に主軸丸木足（８）と補助足丸木（９）を設け、本体表面（１）に突っ掛緒（４）を足がズレ落ちない用に設け全足指が挿入出来る突起棒（５）及びスライド調節板（６）を設けた小脳と身体バランスを鍛える健康履物具である。
【考案を実施するための最良の形態】
【０００５】請求項２による本体表面（１）に足指マッサージ用の移動突起棒を設け必要に応じては取り外しも可能にあり、請求項１による本体裏面の底板面（２）には主軸となる主軸丸木足と前部分に補助足丸木（９）を設けた事で複数の機能を付加する。本体の原形はこれに限らず、サンダル類形や靴類形にても移行出来、裏面主軸丸木足（８）においては、三角形式の主軸足に変更出来る事を付加し健康履物具として提供するものである。
【実施例】
【０００６】本考案は本体底板面（７）に主軸丸木足（８）及び補助足丸木足（９）を設けた事で、本体の表面（１）に乗り足首の前後スイング運動及び歩行したりして、バランスを保ちながらトレーニング起動する事で、小脳を刺激発達し、身体バランス機能を促進活性化し足首、フクラハギを細くするダイエット効果もある。足指は足指マッサージ効果を促進させる事が出来る。かかと部（３）を地面に着地すればフクラハギの引き延ばし運動が出来る事で複数の利用機能を付加する事が出来る。
【考案の効果】
【０００７】本考案は、本体（１）の上に乗り足首でバランスを取り身体でバランスを保ち、前後スイング運動したり歩行したりしながらのバランス感覚で小脳を刺激し、小脳運動機能の低下の向上を促し健康促進を主眼とするものである。
【図面の簡単な説明】
【図１】本考案の真上面上斜視図である。
【図２】本考案の横断面図。
【図３】本体上のスライド調節板の斜視図
【符号の説明】
（１）履物表面
（２）つま先部
（３）かかと部
（４）突っ掛緒
（５）突起棒ゴムラバー
（６）スライド調節板
（７）履物底板面
（８）主軸丸木足
（９）補助足丸木
（１０）ゴムラバー
【図１】
0003112274.tif 000003
【図２】
0003112274.tif 000004
【図３】
0003112274.tif 000005
【手続補正書】
【提出日】平成17年4月19日(2005.4.19)
【手続補正１】
【補正対象書類名】実用新案登録請求の範囲
【補正対象項目名】全文
【補正方法】変更
【補正の内容】
【実用新案登録請求の範囲】
【請求項１】
本体は木製及び硬質樹脂系の材質で原型は下駄類を有し、本体履物底板部（７）の中心部に主軸丸木足（８）を設け、同じく履物底板部の前部分に補助足丸木（９）を設け丸木足は半月丸型形成を有し前後足首を屈折スイング運動する履物具。
【請求項２】
本体履物の表面（１）は下駄類型に類し身体の足元がズレ落ちない為の突っ掛緒（４）を設け、足指も全指突起棒（５）を挟み込み挿入し、突起棒（５）は足指の異なりに対応出来るスライド左右調節板（６）を設けた請求項１記載の履物具。
(57)【要約】      （修正有）【課題】頭が動いても、枕が頭と一緒に動かないようにし、凹型の枕で頭部を安定させて、海外旅行等での航空機による長時間の旅行でも快眠がとれ、疲れが癒されるようにした枕を提供する。【解決手段】枕の底部両端に取り付けたベルトで、乗り物の腰掛の背もたれに、枕をしっかりと固定する。【選択図】図１
0003112278.tif 000002
【実用新案登録請求の範囲】
【請求項１】
枕の底部両端に、枕をしっかりと固定させるために必要なベルトを取り付けた枕。
【請求項２】
枕を固定させるためのベルトの代替として、ゴムバンドを取り付けた請求項１の枕。
【請求項３】
枕の中央部が、凹型に近い形状にくぼんでいる請求項１の枕。
【考案の詳細な説明】
【技術分野】
【０００１】  本考案は、枕を固定するために、枕の底部の両端にベルトを取り付けた乗り物用枕に関するものである。
【背景技術】
【０００２】  従来の乗り物用枕は、首をはめ込むものか、首に巻きつけるものか、頭を乗せるだけのものしかなく、固定させる機能を持った枕はなかった。
【考案の開示】
【考案が解決しようとする課題】
【０００３】  乗り物に乗っている時は、殆どが腰掛に座っているのであるから、首をはめ込んだり、首に巻きつけた枕は、睡眠中、無意識のうちに頭が左右もしくは前方へ傾いた場合は、頭と一緒に動くので頭は安定しない。頭を乗せるだけの枕は、頭から枕が外れたり、場合によっては下に落ちてしまう。乗り物が激しく揺れた場合も同じような状態となる。
したがって、枕が安定していないことにより、疲れを癒したり快眠をとる事は出来ない。
【課題を解決する手段】
【０００４】  そこで、本考案は、その欠点を除き、快眠をとることが出来るように考案したものである。
枕の底部の両端に取り付けたベルトを、乗り物の背もたれの背後に回して、枕を背もたれにしっかりと固定することとしたのである。
枕は、中央部がくぼんだ凹型に近い形状になっていて、頭部が枕に包み込まれるよう構造になっているので、頭が左右に傾いても頭が不安定になるのを防ぐことが出来る。
また、睡眠中無意識のうちに頭が下がっても、枕は背もたれに固定されているので枕が下に落ちることはない。
ベルトの代替としてゴムバンドを使用しても良い。
枕の中央部がくぼんで薄くなっているので二つ折りに出来、軽くて、コンパクトで持ち運びが便利である。
【考案の効果】
【０００５】  枕が背もたれに固定され、しかも、枕の形状が凹型に近いものになっており、頭が包み込まれるようになるので、睡眠中無意識に頭が左右に動いても、乗り物が激しく揺れても、頭が安定していて、疲れが癒され、快眠が約束される。
枕の着脱は留具、又はマジックテープを使い非常に簡単で、誰にでも容易に出来る。
【考案を実施するための最良の形態】
【０００６】  この考案による枕は図１に示すとおり枕の底部両端にベルトが取り付けられている。
図２に示すように枕の中央部が凹型にくぼんでいる。図３で示すように腰掛の背もたれの背後にベルトを回して留具で枕をしっかりと固定する。
ベルトの代替としてゴムバンドを使用することも出来る。
枕の中央部がくぼんで底部が薄いので二つ折りに出来、持ち運びが便利である。
【図面の簡単な説明】
【０００７】
【図１】  本考案の斜視図である。
【図２】  本考案の正面図である。
【図３】  前方側面図である。
【図４】  本考案の使用中の斜視図である。
【符号の説明】
【０００８】１    ベルト
２    ベルトの取り付け部
３    枕の底部
４    枕がベルトでしっかりと固定された状態
５    腰掛の背もたれ
【図１】
0003112278.tif 000003
【図２】
0003112278.tif 000004
【図３】
0003112278.tif 000005
【図４】
0003112278.tif 000006
(57)【要約】【課題】ゴルフスイング時において、下半身、特にひざの安定を、足元から図る。【解決手段】本考案はスパイク鋲３と同じ高さの壁１を有し、その頂と内側縁を結んだ面に沿った滑り止め４を有する特徴を持つ。また、外側縁に厚み６を有することを特長としたシューズである。そして前記２例を兼ね備えたゴルフシューズである。以上３例において、足元の固定を図り、その結果、両膝が安定するものである。【選択図】図１
0003112292.tif 000002
【実用新案登録請求の範囲】
【請求項１】
底部において、外側縁にスパイク鋲と同じ高さの壁を有し、内側縁よりその頂までを結んだ面に沿うように、内側スパイク鋲より外側に、円形もしくは角形の滑り止めの突起を有することを特長としたゴルフシューズ。
【請求項２】
底部外側縁が接地面において、１〜８ｍｍ外側に厚くなっていることを特徴とするゴルフシューズ。
【請求項３】
底部において、外側縁が外側に１〜８ｍｍ厚く、またスパイク鋲と同じ高さの壁を有し、内側縁よりその頂までを結んだ面に沿うように、内側スパイク鋲より外側に、円形もしくは角形の滑り止めの突起を有することを特長としたゴルフシューズ。
【考案の詳細な説明】
【技術分野】
【０００１】  本考案は、ゴルフスイング時における下半身の安定により、飛距離を向上させ、方向性の安定したショットを放つことのできるゴルフシューズに関するものである。
【背景技術】
【０００２】  従来のゴルフシューズは、底部は水平であり、滑り止めのスパイク鋲を装着して形成されている。
【考案の開示】
【考案が解決しようとする課題】
【０００３】  従来のゴルフシューズは、前述のようであるため、ゴルフシューズを履いた足は直立である。ショット時においては、両膝を内側に屈曲させ下半身を安定させて、ショットを行う。その際の安定させる方法として、スパイク鋲が装着されているのであるが、この安定という点に関し、初心者のみならず、熟練のゴルファーにおいても、非常に難点であるという問題があった。
【課題を解決するための手段】
【０００４】  本考案は、底部において、外側縁にスパイク鋲と同じ高さの壁を設け、内側縁とその頂を結ぶ面に沿うように、滑り止めの突起を設けるという手段、または、外側に適度な厚みを設けるという手段を採用することによって、上記問題点を解決しようとした。
【考案の効果】
【０００５】  ゴルフにおいて、ショット時に両膝を内側に屈曲させ、腰を落とし下半身を安定させてボールを打つという基本的技術がある、従来のゴルフシューズにおいては、スタンスを決めてショットをしても、ひざが流れることによってスイングが乱れ、打球は自分の望んだところへは飛ばず、飛距離も伸びないといった現象がおきていた。【０００６】  本考案のシューズは、足元を固定することによって、ゴルファーの意思とは関係なくひざが流れることを防ぎ、安定した下半身を供給できるものである。
【実施例】
【０００７】  図１に示すように、本考案シューズは、外側縁にスパイク鋲と同じ高さの壁を有し、内側縁とその頂を結ぶ面に沿うように、滑り止めの突起が形成されている。【０００８】  通常のゴルフ場においてこのシューズでゴルフスイングのスタンスを取ると、２に示す内側スパイク鋲は地中にささり、３に示す外側スパイク鋲は、１の壁によって地中にはささらず、甲部５は内側へ傾くこととなる。そのため、両膝は強制的に内方に屈曲されて固定される。また４に示す滑り止めが効果的に作用し足元からの下半身の安定が形成される。このため、スイング時のひざが左右には流れず、安定したショットを放つことができるのである。【０００９】  また図２に示すように、本考案シューズは、外側縁に１〜８ｍｍの厚み６を有する。このため、左右各々の外側へ向く力に対して、大きな抵抗となる。つまりは足元が固定され、ひざが安定しショットが放つことができる。【００１０】  図３に示す本考案シューズは、上記特徴を両方兼ね備えたシューズであり、より強固な安定性を望むことができる。【００１１】  １に示す壁は、スパイク鋲と同等の高さであるため、クラブハウスや、カート道等固い地面においては、従来のゴルフシューズと全く同様に歩行することができる。【００１２】  図１及び図３に示す本考案において、外側スパイク鋲３を取り外し、滑り止め突起４に代替することは可能である。この点は、製作上の費用や手間に係る問題であり、本考案の効果は同様である。【００１３】  ゴルフシューズの形態において、スパイクレスシューズという滑り止めの突起によるものがあるが、本考案シューズにおいて、スパイク鋲のタイプについて述べたが、スパイク鋲２及び３はスパイクレスタイプに代替可能であり、本考案の効果は同様である。
【図面の簡単な説明】
【００１４】
【図１】ａ  本考案ゴルフシューズの正面図である。ｂ  底面より見た図である。ｃ  スタンスを取ったときの図である。
【図２】ａ  本考案ゴルフシューズの正面図である。ｂ  底面より見た図である。
【図３】ａ  本考案ゴルフシューズの正面図である。ｂ  底面より見た図である。
【符号の説明】
【００１５】１  外側縁
２  スパイク鋲（内側）
３  スパイク鋲（外側）
４  滑り止めの突起
５  靴甲部
６  外側縁厚み
【図１】
0003112292.tif 000003
【図２】
0003112292.tif 000004
【図３】
0003112292.tif 000005
(57)【要約】【課題】洗濯物を干す時に使う、Ｔシャツの襟が伸びないハンガーを提供する。【解決手段】ハンガーの肩の一方だけ延長し、フックをつけたことを特徴とする襟が伸びないハンガー。【選択図】図１
0003112296.tif 000002
【実用新案登録請求の範囲】
【請求項１】
ハンガーの肩の一方だけ延長し、フックをつけることを特徴とするＴシャツの襟が伸びないハンガー。
【考案の詳細な説明】
【技術分野】
【０００１】  本考案は洗濯物を干す時に使うハンガーに関するものである。
【背景技術】
【０００２】  従来のハンガーは、中心上部にフックがつけられ、両肩をおりたたんで使うものもあるが、固定式のものが多い。
【考案の開示】
【考案が解決しようとする課題】
【０００３】  そのため次のような問題点があった。
（イ）両肩をおりたたんで使うものは、折りたたむ煩わしさがある。
（ロ）固定式は、Ｔシャツの襟から出し入れすると襟が伸びる。
本考案は、以上の問題点を解決するためになされたものである。
【課題を解決するための手段】
【０００４】  ハンガーの肩の一方だけ延長してフックをつける。以上を特徴とする襟が伸びないハンガーである。
【考案の効果】
【０００５】  ハンガーをＴシャツの襟から出し入れしても襟が伸びない。
【考案を実施するための最良の形態】
【０００６】  以下、本考案の実施の形態を説明する。
ハンガーの肩（１）を一方だけ延長し、フック（２）を設ける。
本考案は以上のような構造でこれを使用する時は、フックのついてない肩（３）をＴシャツ（４）の襟（５）にいっぱいまで通し、もう一方の肩（１）を入れる。
【図面の簡単な説明】
【０００７】
【図１】本考案の正面図
【図２】本考案の使用状態を示す正面図
【符号の説明】
【０００８】  １  ハンガーの肩
２  フック
３  フックのついていない肩
４  Ｔシャツ
５  襟
【図１】
0003112296.tif 000003
【図２】
0003112296.tif 000004
(57)【要約】【課題】従来の包丁は、鱗を削り取る時点で、四方に飛び散ってしまう不都合の解消等。【解決手段】本考案は、刀身５に孔１を設け、斜辺２の先端を鋸歯状の歯３にしたことでこの課題を解消する。【選択図】図１
0003112300.tif 000002
【実用新案登録請求の範囲】
【請求項１】
包丁の刀身に、孔と、くぼみを設け、孔の一辺を斜辺として、その先端に鋸刃状の歯を設けたことを特徴とする鱗の取れる包丁。
【考案の詳細な説明】
【技術分野】
【０００１】  本考案は、包丁の刀身に工夫を加えることに依って、容易に魚の鱗の取れる包丁に関するものである。
【背景技術】
【０００２】  従来は、包丁の刃、又は包丁の背部に凹凸を設けた包丁で削っていた。
【考案の開示】
【考案が解決しようとする課題】
【０００３】  しかし、従来のように包丁の刃で削ると、包丁の刃、又は刀身に鱗があたり、薄い鱗は刃、又は刀身に押し返えされて四方に飛び散る。【０００４】  また、専用の道具を使用した場合、包丁の持ちかえ、使用後の洗浄等の不都合を解決しようとするものである。
【課題を解決するための手段】
【０００５】  本考案は、図１に示すように包丁の刃身５に孔１を設ける、刀身面５ａ側において、刃７に近い孔１の一辺を斜辺２とする、その先端に鋸刃状の歯３を設ける、更に刀身面５ａ側において、孔１より背６に向け、くぼみ４を設けたことで、魚の表面に包丁が密着できるようになり、鋸刃状の歯３で鱗を削り取ることで問題を解決している。
【考案の効果】
【０００６】  よって、本考案の鱗の取れる包丁は、図１に示したように、刀身５に孔１を設け、鋸刃状の歯３で削り取られた鱗は、斜辺２に添って刀身面５ｂ側に向い、孔１を通過することで刀身５に押されず、飛び散ることもなく鱗を取り除くことができる。【０００７】  また、専用の道具を使う必要もなく、使用後の洗浄等の手間を省くことができ便利である。
【考案を実施するための最良の形態】
【０００８】  本考案は、くぼみ４を魚の表面に密着させ、尾側より頭方向に、鱗を削り揚げるように動作することに依り、鋸刃状の歯３にあたり容易に鱗を取り除くことができる。【０００９】  図１に示すように、孔１を刃身５の中央より先端に近ずけて設けることで使い易くすることができる。
【図面の簡単な説明】
【００１０】  図１  本考案の鱗の取れる包丁の斜視図である。
図２  本考案の背面図である。
図３  図１に示すＡ−Ａ′の断面図である。
【符号の説明】
【００１１】１  孔
２  斜辺
３  鋸刃状の歯
４  くぼみ
５  刀身
５ａ  図１で視る刀身面
５ｂ  図２で視る刀身面
６  背
７  刃
８  柄
【図１】
0003112300.tif 000003
【図２】
0003112300.tif 000004
【図３】
0003112300.tif 000005
(57)【要約】      （修正有）【課題】ヘッド角度調整機能及びヘッドウエイトバランス調整機能を持たせ、使用者が使いやすく設定できるパターを提供する。【解決手段】可変式パター１において、ボールジョイント４を備えるシャフト２とウエイトボール１６を内蔵し、且つ、ボールジョイント４をライナー６を介し固着させる。ヘッド８は、ジョイントストッパー１４を専用の工具を用い緩めることで蝶着状態となり、自在に角度を変えることが可能になる。ヘッド８に内蔵されるウエイトボール１６は、ボールスペーサー１２を介し調整スプリング１０及びウエイト調整ダイヤル１８により遊動し、ウエイト調整ダイヤル１８を回転させることでヘッド８のバランスを調整することが可能となる。【選択図】図１
0003112297.tif 000002
【実用新案登録請求の範囲】
【請求項１】
パターとヘッドの接合にボール形状ジョイントを設け、自在にヘッド角度を調整することか出来るところを特徴とする可変式パター。
【請求項２】
ヘッド内部に移動式または脱着可能な重りを設け、ヘッドバランスを自在に調整することが出来るところを特徴とする請求項１記載の可変式パター。
【考案の詳細な説明】
【技術分野】
【０００１】本考案は、ヘッドとシャフトの接合部及びバランスウエイト部分に調整機能を設けた、パターに関するものである。
【背景技術】
【０００２】ゴルフ場及びコースコンディションによってパターを使い分けたり、パター購入する際に身長及び個人の癖によっては、なかなか合うものが見つからなく、パターを何度と無く交換していた。
【考案の開示】
【考案が解決しようとする課題】
【０００３】パターを数本持つことは経済的負担も大きく、持ち運びにおいても重量的、労働的負担である。従って、パターのヘッド部とシャフト部をボールジョイントで接合及びヘッド部に調整可能なウエイトボールを装備することによりパターを使い分けたり、パター選びに悩むことは無くなり、前述の欠点を解決しようとするものである。
【課題を解決するための手段】
【０００４】本考案は、パターシャフト部とヘッド部において、ボールジョイントを使用し蝶着することでヘッド部が自在に動き、ヘッド部の固定に蓋体のジョイントストッパーを装着し、蓋体のジョイントストッパーがヘッド部とシャフト部とを固定し、且つ、ヘッド部に調整機能を持ったウエイトボールを設けることにより、ヘッド部のウエイトバランスを自在にすることで問題を解決している。
【考案の効果】
【０００５】上述のように、本考案の可変式パターはパター本体にヘッド角度調整機能及びヘッドウエイトバランス調整機能を設けたので、パターを使い分けたり、パター選びに悩むことは無くなる。
【考案を実施するための最良の形態】
【０００６】パターシャフト部の他端にあるボールジョイントと蝶着しているヘッド部はボールジョイントの中心に自在に可動し、固定にヘッド部のシャフト側と対面に蓋体であるジョイントストッパーを締め付けることによりシャフト部とヘッド部は固定される。また、ヘッド部に於いては、ウエイトボールの位置をウエイト調整ダイヤルを回すことにより、調整スプリングの反力により自在に変更でき、パターのヘッドバランスを変更することが自在となる。
【実施例】
【０００７】以下、添付図面に従って実施例を説明する。２は他端にボールジョイント４を備えるシャフト、８はウエイトボール１６を内蔵し、且つ、ボールジョイント４をライナー６を介し固着されるヘッドで、ジョイントストッパー１４を専用の工具を用い緩めることでヘッド８は蝶着状態となり、自在に角度を変えることが可能になり、ジョイントストッパー１４を専用の工具を用い締め付けることでヘッド８と他端にボールジョイント４を備えるシャフト２を固着することが可能となる。【０００８】ヘッド８に内蔵されるウエイトボール１６は、ボールスペーサー１２を介し調整スプリング１０及びウエイト調整ダイヤル１８により遊動し、ウエイト調整ダイヤル１８を締め付ける方向へ回転すると、調整スプリング１０は圧縮され、ウエイトボール１６はパターの中心軸に近づき、ウエイト調整ダイヤル１８を緩める方向へ回転すると、調整スプリング１０は伸びウエイトボール１６は中心軸から離れることで、ウエイト調整ダイヤル１０を回転させることでヘッド８のバランスを調整することが可能となる。【０００９】本考案の実施例は上述の内容で構成されるもので、可変式パター本体１はパターとしての機能に使用者に使いやすく設定することが可能になる。
【図面の簡単な説明】
【図１】本考案の可変式パターの実施例を示す断面図である。
【図２】本考案の可変式パターの実施例を示す底面図である。
【図３】本考案の可変式パターの動作を示す断面図である。
【符号の説明】
１  可変式パター本体
２  シャフト
４  ボールジョイント
６  ライナー
８  ヘッド
１０  調整スプリング
１２  ボールスペーサー
１４  ジョイントストッパー
１６  ウエイトボール
１８  ウエイト調整ダイヤル
【図１】
0003112297.tif 000003
【図２】
0003112297.tif 000004
【図３】
0003112297.tif 000005
(57)【要約】【課題】  頑固な垢であっても、安全に落とすことができる垢すりを提供する。【解決手段】  手で握ることができるグリップと、グリップの両端から前延するサイドフレームと、サイドフレームの前端に渡し掛けられ、断面が半円形をしていてその切除面がグリップに正対している半円筒体の垢すり具とからなる垢すり。【選択図】  図２
0003112205.tif 000002
【実用新案登録請求の範囲】
【請求項１】
手で握ることができるグリップと、グリップの両端から前延するサイドフレームと、サイドフレームの前端に渡し掛けられ、断面が半円形をしていてその切除面がグリップに正対している半円筒体の垢すり具とからなる垢すり。
【請求項２】
グリップの両面に複数の突条又は突起が設けてある請求項１の垢すり。
【考案の詳細な説明】
【技術分野】
【０００１】
本考案は、身体の垢を落とす垢すりに関する。
【背景技術】
【０００２】
入浴時、身体の垢を落とすために垢すりで身体を擦ることがある。この垢すりには、種々のものがあるが、あまり軟らかいものであると、角質化された頑固な垢を落とすことができない。このため、下記特許文献１に示されるような表面に鋭い三角形の突起を取り付けたものもある。しかし、このような突起によると、力加減によっては、皮膚を傷付けてしまうことがある。
【特許文献１】特開平０８−１４１０３０号公報
【考案の開示】
【考案が解決しようとする課題】
【０００３】
本考案に係る垢すりは、鋭い削り機能を有するものの、皮膚には食い込まないようにして、頑固な垢でも確実に落とせるようにしたものである。
【課題を解決するための手段】
【０００４】
以上の課題の下、本考案は、請求項１に記載した、手で握ることができるグリップと、グリップの両端から前延するサイドフレームと、サイドフレームの前端に渡し掛けられ、断面が半円形をしていてその切除面がグリップに正対している半円筒体の垢すり体とからなる垢すりを提供するとともに、これにおいて、請求項２に記載した、グリップの両面に複数の突条又は突起が設けてある手段を提供したものである。
【考案の効果】
【０００５】
請求項１の垢すりによると、垢すり体が断面が半円形をしていてその切除（欠落）面がグリップに正対しているため、グリップを握って皮膚に当て、こちら側に引き寄せると、半円の角が一種のエッジとなり、硬い角質化した垢でも削りとることができる。これにおいて、エッジの後方は半円体となっているから、エッジはそれ以上皮膚に食い込まず、安全である。また、請求項２の手段によると、軽い垢すりができるから、仕上げやマッサージに使用できる。
【考案を実施するための最良の形態】
【０００６】
以下、本考案の実施の形態について図面を参照して説明する。図１は垢すりの平面図、図２は断面側面図、図３は垢すり体の断面図、図４は使用状態を示す説明図であるが、この垢すりは、手で握ることができるグリップ１と、グリップの先に設けられる断面が半円形をした垢すり体２等からなる。グリップ１は、ある程度硬い樹脂や木材等からなるもので、偏平な矩形体をしており、手で握ることができる程度の大きさに設定してある。なお、グリップ１の両面には、突起量はあまり大きくない突条３が適当な方向に複数条形成されている。また、図示は省略するが、突起３に代えて独立した突起であってもよい。
【０００７】
グリップ１の両端からはサイドフレーム４が前延しており、サイドフレーム４の前端に垢すり体２が渡し掛けられる。なお、垢すり体2 もサイドフレーム４も、一般的にはグリップ１と同材料で構成されている。垢すり体２は、断面が半円形をしている半円筒体であるが、その切除面（欠落した部分の表面）２ａは、グリップ１に対して正対している。なお、ここでの正対とは、切除面２ａがグリップ１の前面と平行になっていることであるが、完全に平行である必要はなく、切除面２ａの角２ｂがグリップ１側に向いている限りにおいて多少の誤差は許される。そして、切除面２ａの角２ｂは、あまり丸く（面取り）せず、ある程度尖ったものにしておくのが好ましい。
【０００８】
以上の垢すりは、そのグリップ１を手で握り、垢を落とそうとする皮膚の個所に垢すり体２を当ててこちら側へ引き寄せる。このとき、垢すり体２を多少皮膚に押し当てるようにすることことで、その角２ｂが垢を削り落とす。この場合において、角２ｂは少々尖っていても、その後面は円形をしているので、角２ｂのそれ以上の食い込みを阻止し、皮膚の中にまで食い込んで傷付けるようなことはない。むしろ、角２ｂが尖っていることで、角質化しか頑固な垢でも削り落とすことができる。このようにして所定の個所の垢すりが終了すると、今度は、グリップ１の突条３で仕上げの垢すりを行えば、表面が綺麗に均される。なお、この突条３は、マッサージや軽い押圧にも使用できる。
【図面の簡単な説明】
【０００９】
【図１】垢すりの平面図である。
【図２】垢すりの断面側面図である。
【図３】垢すり体の断面側面である。
【図４】垢すりの使用状態を示す説明図である。
【符号の説明】
【００１０】
１    グリップ
２    垢すり体
２ａ  垢すり体の切除面
２ｂ  切除面の角
３    突条
４    サイドフレーム
【図１】
0003112205.tif 000003
【図２】
0003112205.tif 000004
【図３】
0003112205.tif 000005
【図４】
0003112205.tif 000006
(57)【要約】      （修正有）【課題】保護機構を有する読み取り装置、及び、その連接ポートを提供する。【解決手段】保護機構を有する読み取り装置１１、及び、その連接ポート１６は、カード読み取り装置の一側辺に、上蓋素子１２を枢設し、上蓋素子は、カード読み取り装置の上方に蓋合し、上蓋素子の自由端上に、係合素子１３を設け、上蓋素子が、カード読み取り装置の上方に蓋合されるとき、係合素子により、読み取り装置の側辺縁上に係合し、上蓋素子を、カード読み取り装置の上方に密合させる。これにより、上蓋素子が、カード読み取り装置上方に蓋合されて、水分、埃等の雑物が、カード読み取り装置内に進入するのを防止し、読み取りカード上のメモリカードの遺失を防ぐことが可能である。【選択図】図１
0003112202.tif 000002
【実用新案登録請求の範囲】
【請求項１】
保護機構を有する読み取り装置、及び、その連接ポートであって、
カード読み取り装置の一側辺に枢設され、前記カード読み取り装置の上方に蓋合し、自由端上に、係合素子を設ける上蓋素子からなり、
前記上蓋素子が、前記カード読み取り装置の上方に蓋合されるとき、前記係合素子により、前記読み取り装置の側辺縁上に係合し、前記上蓋素子を、前記カード読み取り装置の上方に密合させることを特徴とする保護機構を有する読み取り装置、及び、その連接ポート。
【請求項２】
前記カード読み取り装置の前記側辺下方に、下蓋素子を枢設し、前記下蓋素子は、前記カード読み取り装置の底部に蓋合されることを特徴とする請求項１に記載の保護機構を有する読み取り装置、及び、その連接ポート。
【請求項３】
前記カード読み取り装置の一端に、連接ポートを設置し、もう一端は本体を設置し、前記本体の前記連接ポートに対応するもう一端に、少なくとも一つの、メモリカードを挿接するスロットを設け、前記連接ポートをコンピュータ上に連接し、前記コンピュータが、前記スロット上のメモリカードを読み取り、或いは、データを書き込むことを特徴とする請求項１に記載の保護機構を有する読み取り装置、及び、その連接ポート。
【請求項４】
前記カード読み取り装置は、読み取り機であることを特徴とする請求項１に記載の保護機構を有する読み取り装置、及び、その連接ポート。
【考案の詳細な説明】
【技術分野】
【０００１】
本考案は、保護機構を有する読み取り装置、及び、その連接ポートに関するものであって、特に、水分、埃塵等の雑物が、カード読み取り装置内に進入するのを防止し、同時に、カード読み取り装置上に挿置されたメモリカードが遺失するのを防止する装置に関するものである。
【背景技術】
【０００２】
一般のカード読み取り装置（例えば、読み取り機、読み取りスロットを有するMP３、読み取り器を有するフラッシュディスク等）は、その一端に、コンピュータと連接する連接ポートを有し、もう一端は、本体を設け、本体は、連接ポートに対応するもう一端に、少なくとも一つの、メモリカードを挿接するスロットを有し、連接ポートを、コンピュータ上に連接して、コンピュータが、スロット上のメモリカードのデータを読み取り、或いは、書き込みができるようになっている。
【０００３】
公知のカード読み取り装置、及び、連接ポート上は、いかなる保護機構も具備せず、外界の水分や埃等の雑物が、カード読み取り装置内に進入して、読み取りカード内の損壊を招く。また、いかなる保護機構も有さないので、カード読み取り装置上のメモリカードは遺失しやすい。
【考案の開示】
【考案が解決しようとする課題】
【０００４】
上述の問題を解決するため、本考案は、保護機構を有する読み取り装置、及び、その連接ポートを提供し、水分、埃塵等の雑物が、カード読み取り装置内に進入するのを防止し、同時に、カード読み取り装置上に挿置されたメモリカードが遺失するのを防止することを目的とする。
【課題を解決するための手段】
【０００５】
上述の目的を達成するため、カード読み取り装置の一側辺は、上蓋素子を枢設し、上蓋素子は、カード読み取り装置の上方に蓋合し、上蓋素子の自由端上に、係合素子を設け、上蓋素子が、カード読み取り装置の上方に蓋合されるとき、係合素子により、読み取り装置の側辺縁上に係合し、上蓋素子を、カード読み取り装置の上方に密合させる。
【考案の効果】
【０００６】
本考案により、上蓋素子が、カード読み取り装置上方に蓋合されて、水分、埃等の雑物が、カード読み取り装置内に進入するのを防止し、読み取りカード上のメモリカードの遺失を防ぐことが可能である。
【考案を実施するための最良の形態】
【０００７】
本考案の保護機構を有する読み取り装置、及び、その連接ポートは、図１、及び、図２で示されるように、カード読み取り装置１１（例えば、読み取り機、読み取りスロットを有するMP３、読み取り器を有するフラッシュディスク等）の一側辺に、上蓋素子１２を枢設し、上蓋素子１２は、カード読み取り装置１１の上方に蓋合し、上蓋素子１２の自由端上に、係合素子１３を設け、上蓋素子１２が、カード読み取り装置１１の上方に蓋合されるとき、係合素子１３により、読み取り装置１１の側辺縁上に係合し、上蓋素子１２を、カード読み取り装置１１の上方に密合させる。
【０００８】
これにより、上蓋素子１２が、カード読み取り装置１１上方に蓋合されて、水分、埃等の雑物が、カード読み取り装置１１内に進入するのを防止し、同時に、読み取りカード１１上のメモリカード１４の遺失を防ぐことが可能である。
【０００９】
再び、図１、図２を参照すると、カード読み取り装置１１の側辺下方に、下蓋素子１５を枢設し、下蓋素子１５は、カード読み取り装置１１の底部に蓋合され、上蓋素子１２、及び、下蓋素子１５を、それぞれ、カード読み取り装置１１の上方と底部に蓋合することにより、水分、塵等の雑物が、更に、カード読み取り装置１１内に進入しにくくなる。
【００１０】
再び、図１、図２を参照すると、カード読み取り装置１１は、読み取り器、読み取りスロットを有するMP３、読み取り器を有するフラッシュディスク等で、カード読み取り装置１１の一端は、連接ポート１６を設置し、もう一端は、本体１７を設置し、本体１７は、連接ポート１６に対応するもう一端に、少なくとも一つの、メモリカード１４を挿接するスロット１８を有し、連接ポート１６を、コンピュータ（図示しない）上に連接して、コンピュータが、データを読み取り、或いは、スロット１８上のメモリカード１４に、書き込みできるようにしている。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】本考案の立体外観図である。
【図２】本考案のもう一つの立体外観図である。
【符号の説明】
【００１３】
１１…カード読み取り装置
１２…上蓋素子
１３…係合素子
１４…メモリカード
１５…下蓋素子
１６…連接ポート
１７…本体
１８…スロット
【図１】
0003112202.tif 000003
【図２】
0003112202.tif 000004
(57)【要約】      （修正有）【課題】足の趾の接地力を改善する履物の内底の形状は、浮き趾を改善して足裏の形を整える構造である。足裏の形が形成される幼児時代から、疲れやすい大人の足裏の改善に利用できる。【解決手段】靴の内底や中敷き及び草履に於いて、足のゆびの第二趾、第三趾、第四趾、第五趾の接する面は、足の裏の接する面より１〜４ミリメートル低くする。【選択図】図１
0003112263.tif 000002
【実用新案登録請求の範囲】
【請求項１】
履物の足の裏に接する面に於いて、（１）靴の左右の内底の面は足のゆびの第一趾（親指）を除く、第二趾、第三趾、第四趾、第五趾の接地面を足の裏が接する面より１から４ミリメートル低くする。（２）靴の内底に敷く左右の中敷きシート（インソール）の面は、足のゆびの第一趾（親指）を除く、第二趾、第三趾、第四趾、第五趾の接地面を足の裏が接する面より１から４ミリメートル低くする。草履の左右の上面は、足のゆびの第一趾（親指）を除く、第二趾、第三趾、第四趾、第五趾の接地面を足の裏が接する面より１から４ミリメートル低くする。
【考案の詳細な説明】
【考案の詳略名説明】
【産業上の利用分野】
この考案は、靴や草履を履いて歩くたび、足のゆびの運動で趾の接地力を高める、浮き趾を改善する靴の内底や靴の中敷きシート（インソール）の形状および草履の上面形状である。
【背景技術】靴の内底の形や靴の中敷きシートはゆびの接地面と足の裏の接地面が同じ高さ、又は趾の接地力を体に伝えるため、ゆびを持ち上げた。草履は鼻緒でゆびを平面上に固定している。
【考案が解決しようとする課題】
窮屈な靴の利用や運動不足から足のゆびが大地にしっかりと着かない、そして浮き趾が原因で長時間立っていられなかったり腰痛が多く、走ったときに転ぶ子供や大人が多くなっていると言われている。履物で趾の接地力を高めて浮き趾を改善する。
【課題を解決する手段】
本考案は、これまで８年間にわたり子供と大人合計約６，０００人の足の裏の接地状況を観察しました。比較的健康な足形に於いても大地にしっかり着いていない浮き趾が多い。運動や草履ばきで足長、足幅、偏平足、外反が改善されているが、浮き趾の改善が少ない、履物がゆびを固定している為である。ゆびは自由に動き、歩く度にゆびは段差の縁を握り締める運動を繰り返すことのできる履物の内底面と足の裏が接する草履の上面の形状である。
【作用】
従来の履物の足裏接面に於いて、第一趾を除き足のゆびの接地面を低く段差をつくることにより歩く度、ゆびは段差の縁を握り締めようと低い面を押し付ける動作を繰り返す。
【実施例】なお、実施にあたっては、次のことが考えられる。
（イ）  ゆびは動く、運動になる。
（ロ）  趾の接地力が高められる。
（ハ）  浮き趾が改善される。
【考案の効果】
足の趾の接地力が高められる、浮き趾が改善される。
【図面の簡単な説明】
【図１】本考案の斜視図である、靴の内底の形状（イ）及び靴の中底シート（ロ）及び草履（ハ）に於いて足の裏の接地面（１）より第一趾を除き、第二趾、第三趾、第四趾、第五趾のゆびが底面に接する面（２）を１〜４ミリメートル低くする。
【図２】靴の中底、中敷きシート、草履の上面図と側面図である。
【図３】履物を履いたとき足のゆびが位置する上面図である。
【符号の説明】
１    足の裏に接する内底の面
２    足のゆびの第一趾を除く第二趾、趾第三趾、第四、第五趾の接する面
【図１】
0003112263.tif 000003
【図２】
0003112263.tif 000004
【図３】
0003112263.tif 000005
【手続補正書】
【提出日】平成16年7月21日(2004.7.21)
【手続補正１】
【補正対象書類名】実用新案登録請求の範囲
【補正対象項目名】全文
【補正方法】変更
【補正の内容】
【実用新案登録請求の範囲】
【請求項１】
履物の内底に於いて、足裏が接する内底の面は、足のゆびの第一趾（親指）を除く、第二趾、第三趾、第四趾、第五趾の接地面を、足の裏が接する内底の面より１から４ミリメートル低くする。歩く際、第一趾（親指）は身体を支え、第二趾、第三趾、第四趾、第五趾は、接地面が内底の面より低いことで大地をつかむ繰り返し運動が趾の筋力を増強する、長い間立っていられない、歩くとすぐ疲れるの原因の足の浮き趾を改善する履物である。
【手続補正書】
【提出日】平成17年3月30日(2005.3.30)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
靴の内底の面に於いて、第一趾（親指）を除く他の４本の趾の接する内底の面を１ミリメートルから４ミリメートル低くする。
【請求項２】
靴の中敷きシートに於いて、第一趾（親指）を除く他の４本の趾の接する面を１ミリメートルから４ミリメートル低くする。
【請求項３】
草履の上面（足の裏と接する面）に於いて、第一趾（親指）を除く他の４本の趾の接する面を１ミリメートルから４ミリメートル低くする。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【産業上の利用分野】
この考案は、靴や草履を履いて歩くたび、足のゆびの運動で趾の接地力を高める、浮き趾を改善する靴の内底や靴の中敷きシート（インソール）の形状および草履の上面形状である。
【考案が解決しようとする課題】
窮屈な靴の利用や運動不足から足のゆびが大地にしっかりと着かない、そして浮き趾が原因で長時間立っていられなかったり腰痛や膝通が多く、走ったときに転ぶ子供や大人が多くなっていると言われている。第一趾（親指）を除く他の４本の趾の接する面を１ミリメートルから４ミリメートル低くした履物を履いて歩く度、趾の運動で趾に筋力を付け、接地力を高めて浮き趾を改善させる。
【考案の効果】
足の趾の接地力が高められる、浮き趾が改善される。
【図面の簡単な説明】
【図１】本考案の斜視図である、靴の内底の形状（イ）及び靴の中底シート（ロ）及び草履（ハ）に於いて足の裏の接地面（１）より第一趾を除き、第二趾、第三趾、第四趾、第五趾のゆびが底面に接する面（２）を１〜４ミリメートル低くする。
【図２】靴の中底、中敷きシート、草履の上面図と側面図である。
【図３】履物を履いたとき足のゆびが位置する上面図である。
【符号の説明】
１  足の裏に接する内底の面
２  足のゆびの第一趾を除く第二趾、趾第三趾、第四、第五趾の接する面
(57)【要約】【課題】  羽毛ふとんを小さくたたんで扱いやすくする。【解決手段】  羽毛ふとんを紐つき布で小さく包む。【選択図】  図１
0003112264.tif 000002
【実用新案登録請求の範囲】
【請求項１】
羽毛ふとんをたたんで、小さく包むことのできる紐を付けた布
【請求項２】
羽毛ふとんをたたんで、小さく包むことのできるマジックテープを付けた布。
【考案の詳細な説明】
【考案の詳細な説明】
【考案が解決しようとする課題】
【０００１】  羽毛ふとんは、小さくたたんで扱う事が難しい。
【課題を解決するための手段】
【０００２】  布をふとんに巻くとき、布が一部二重になるように巻き付ける。布の端と重なった位置に結べる紐を付ける。
【考案の効果】
【０００３】  布で二重に巻かれたところがあるために、小さくたたんだ羽毛ふとんはかたちがくずれにくい。さらに紐を結ぶことで、小さくつつめ安定する。短時間でふとんを包むことができる。
【図面の簡単な説明】
【図１】布に紐を付けた平面図である。
【符号の説明】
１  布
２  紐
３  縫い目
【図１】
0003112264.tif 000003
【手続補正書】
【提出日】平成16年5月20日(2004.5.20)
【手続補正１】
【補正対象書類名】実用新案登録請求の範囲
【補正対象項目名】全文
【補正方法】変更
【補正の内容】
【実用新案登録請求の範囲】
【請求項１】
羽毛ふとんをたたんで、小さく包むことのできる紐を付けた布
【請求項２】
羽毛ふとんをたたんで、小さく包むことのできるマジックテープを付けた布。
【請求項３】
布の大きさは、長さが羽毛ふとんと同じ長さで、幅は羽毛ふとんの二分の一の幅が適当である。
【請求項４】
布と同じ方法で紙、ビニール、化学繊維等で羽毛ふとんを包める物。
【手続補正書】
【提出日】平成16年8月26日(2004.8.26)
【手続補正１】
【補正対象書類名】実用新案登録請求の範囲
【補正対象項目名】全文
【補正方法】変更
【補正の内容】
【実用新案登録請求の範囲】
【請求項１】
布の端と重なった位置に結べる紐をつけた羽毛ふとんを包む紐つき布。
【請求項２】
布に面ファスナーをつけて、羽毛ふとんを包む面ファスナーつき布。